(57)【要約】【課題】凸面形状の複数のファセットを有する反射板において、予期せぬ方向へ向かう光を低減する技術を提供する。【解決手段】この反射板は、後端３１から、前端開口３２へ向かうにつれて拡径するドーム状の反射板である。内周面３３は、複数の小領域３３０に分割される。小領域３３０のそれぞれは、曲面状に突出するファセット６０を構成する。小領域３３０の縁部は、辺の数が４以上の多角形が前記内周面に投影された形状である。小領域３３０の縁部の複数の角のうちの１つである第１角７１は、他の全ての前記角７２〜７６よりも前端開口３２に近い。【選択図】図４
2020067543.tif 000002
【特許請求の範囲】
【請求項１】
後端から前端開口へ向かうにつれて拡径するドーム状の反射板であって、
内周面が複数の小領域に分割され、
前記小領域それぞれは曲面状に突出するファセットを構成し、
前記小領域の縁部は、辺の数が４以上の多角形が前記内周面に投影された形状であり、
前記小領域の縁部の複数の角のうちの１つである第１角は、他の全ての前記角よりも前記前端開口に近い、反射板。
【請求項２】
請求項１に記載の反射板であって、
前後方向に連続して配置される複数の前記小領域によって形成される小領域列を複数有し、
前記小領域列に属する複数の前記小領域はそれぞれ、前記前端開口側へ向かうにつれて周方向一方側に傾斜する基準線に沿って並ぶ、反射板。
【請求項３】
請求項２に記載の反射板であって、
前記基準線は、前後方向に見て、前記中心軸を通る円周の一部である、反射板。
【請求項４】
請求項３に記載の反射板であって、
前記円周の半径は、前記内周面の前記前端部の直径の１／４倍以上、かつ、１／２倍以下である、反射板。
【請求項５】
請求項２ないし請求項４のいずれかに記載の反射板であって、
前記第１角を端点とする２つの辺のうち、他方よりも長い前側長辺は、前記小領域列において全ての前記小領域の重心を通る曲線に対して略垂直である、反射板。
【請求項６】
請求項１ないし請求項５のいずれかに記載の反射板であって、
前記第１角は鈍角である、反射板。
【請求項７】
請求項１ないし請求項６のいずれかに記載の反射板と、
前記反射板の前記後端側に配置された光源と、
を有する、照明装置。
【発明の詳細な説明】
【技術分野】
【０００１】
本発明は、照明装置に用いられる反射板、および、反射板を有する照明装置に関する。
【背景技術】
【０００２】
従来、反射板を有する照明装置が知られている。照明装置は、その用途に応じて、所望の制御配光反射角度となるように設計されている。スポットライトとして用いる照明装置では、特に、その制御配光反射角度をコントロールすることが求められる。制御配光反射角度を調整する代表的な方法として、光源から出射される光を反射板に当てて反射させることにより、反射板の形状に応じて、反射後の光の方向を調節する方法がある。従来の反射板を有する照明装置は、例えば、特許文献１に示されている。特許文献１には、リフレクタに、縁部から中心部に向かうにつれて突出する凸面形状の微小反射面体を設ける構成が記載されている。この構成により、照射対象面全体に対する均斉度を向上させている。
【先行技術文献】
【特許文献】
【０００３】
【特許文献１】特開２００６−７３５３２号公報
【発明の概要】
【発明が解決しようとする課題】
【０００４】
しかしながら、制御配光反射角度を所望の制御配光反射角度に設計する場合、通常、点光源を想定した設計を行うが、実際には一定の面積を有する光源を用いるため、微小反射面体を設けたとしても、色ムラや配光ムラが生じる場合がある。
【０００５】
図１６は、縁部から中心部に向かうにつれて突出する凸面形状の複数の微小反射面体であるファセット６０Ｐを有する反射板３０Ｐの部分断面図である。一般的な反射板３０Ｐは、前方へと光を出射する光源が配置される後端部付近から、前端部へ向かうにつれて拡径する形状をしている。このような反射板３０Ｐでは、ファセット６０Ｐのうち光源から遠い領域はやや前方を向く。このため、図１６に記載のように、光源から遠い領域で反射した光（図１６中破線矢印参照）は、その他の領域で反射した光（図１６中二点鎖線矢印参照）よりも外側へと拡がりやすく、所望の制御配光反射角度よりも外側の予期せぬ方向へ向かう虞がある。
【０００６】
本発明は、このような事情に鑑みなされたものであり、凸面形状の複数のファセットを有する反射板において、予期せぬ方向へ向かう光を低減する技術を提供することを目的とする。
【課題を解決するための手段】
【０００７】
上記課題を解決するため、本願の発明は、後端から前端開口へ向かうにつれて拡径するドーム状の反射板であって、内周面が複数の小領域に分割され、前記小領域それぞれは曲面状に突出するファセットを構成し、前記小領域の縁部は、辺の数が４以上の多角形が前記内周面に投影された形状であり、前記小領域の縁部の複数の角のうちの１つである第１角は、他の全ての前記角よりも前記前端開口に近い。
【発明の効果】
【０００８】
本願の発明によれば、前方領域の形状を調節することによって、ファセットの前側においてやや前方を向く前方反射面の面積の割合を小さくすることが可能である。したがって、所望の制御配光反射角度よりも外側に向かう等の予期せぬ方向へ向かう光を低減できる。
【図面の簡単な説明】
【０００９】
【図１】第１実施形態に係る照明装置の断面図である。
【図２】第１実施形態に係る反射板の断面図である。
【図３】第１実施形態に係る反射板の平面図である。
【図４】第１実施形態に係る反射板の内周面の一部を示した平面図である。
【図５】第１実施形態に係る反射板のファセットの厚みを示した平面図である。
【図６】第１実施形態に係る反射板のファセットの厚みを示した平面図である。
【図７】従来の反射板の内周面の一部を示した平面図である。
【図８】第１実施形態に係る反射板の内周面に配置される全ての基準線の位置を示した図である。
【図９】シミュレーションモデルの反射板の断面図および平面図である。
【図１０】シミュレーションモデルの反射板の断面図および平面図である。
【図１１】シミュレーションモデルの反射板の断面図および平面図である。
【図１２】シミュレーションモデルの反射板の断面図および平面図である。
【図１３】各シミュレーションモデルにおける制御配光反射角度および評価を示した図である。
【図１４】一変形例に係る反射板の内周面に配置される全ての基準線の位置を示した図である。
【図１５】他の変形例に係る反射板の内周面の一部を示した平面図である。
【図１６】縁部から中心部に向かうにつれて突出する凸面形状のファセットを有する反射板の部分断面図である。
【発明を実施するための形態】
【００１０】
以下、本発明の好適な実施形態について、図面を参照しつつ説明する。
【００１１】
＜１．第１実施形態＞
＜１−１．照明装置の構成＞
図１は、本発明の第１実施形態に係る照明装置１の断面図である。この照明装置１は、特定の方向に向かって光を照射する、いわゆるダウンライトである。この照明装置１は、例えば、天井に固定された状態で使用される。
【００１２】
図１に示すように、照明装置１は、筐体１０と、光源２０と、反射板３０と、カバー４０と、コーン５０とを有する。筐体１０には、光源２０および反射板３０が固定される。
【００１３】
光源２０は、ＣＯＢ（Chip on Board）タイプのＬＥＤ光源である。光源２０の光軸は、反射板の中心をなす軸である中心軸９と一致する。以下では、中心軸９に沿う方向であって、光源２１が光を出射する方向を「前方」または「前側」と称し、前方とは逆の方向を「後方」または「後側」と称する。また、中心軸９に沿う方向を「軸方向」と称し、中心軸９を中心とする円周に沿う方向を「周方向」と称し、中心軸９に直交する方向を「径方向」と称する。ＣＯＢの発光領域は、例えば、直径６ｍｍから３３ｍｍの円形である。
【００１４】
このようなＬＥＤ光源は、軸方向に発する光と軸方向から傾いた方向に発する光とで色ムラが生じる場合がある。一般には軸方向の光は色温度が高くやや青みがかっており、斜めになるにつれて色温度が低くやや黄色みを帯びる。光源２０の前面は、発光面となっている。光源２０の発光面の裏面側、すなわち、光源の後面側は、筐体１０に対して固定される。
【００１５】
反射板３０は、後端開口３１から前端開口３２へ向かうにつれて拡径する反射板である。反射板３０は、ドーム状の内周面３３を有する。内周面３３は、光の反射率の高い素材で形成される。反射板３０の詳細な形状については、後述する。
【００１６】
カバー４０は、少なくとも一部が光源２０の前側に配置される透光性部材である。コーン５０は、中心軸９に沿って配置される略円筒状の部材である。コーン５０は、反射板３０およびカバー４０の前側に配置される。コーン５０の内周面は、反射板３０の内周面よりも光の反射率が低い。
【００１７】
この照明装置１では、光源２０が反射板３０の後端部よりも後側に配置される。なお、反射板３０は、その後端部が光源２０の近傍に配置されればよい。すなわち、光源２０が反射板３０の後端部よりもやや前側に配置されてもよい。
【００１８】
光源２０に照明装置１外の電源装置（図示せず）から駆動電流が供給されると、光源２０から前方へ向けて、中心軸９を中心とする光が出射される。そして、光源２０から出射された光のうち、反射板３０の前端開口３２へと向かう光は、そのままカバー４０へと入射する。一方、光源２０から出射された光のうち、反射板３０の前端開口３２よりも外側へと向かう光は、反射板３０の内周面３３において反射される。反射板３０の内周面３３において反射された光は、所定の方向へ向かう光となって、前端開口３２から前方へと出射され、カバー４０へと入射する。そして、カバー４０に入射された光は、カバー４０を透過し、コーン５０よりも前方へと進行する。
【００１９】
＜１−２．反射板の形状＞
反射板３０の形状について、図２ないし図８を参照しつつ、説明する。図２は、反射板３０の断面図である。図３は、反射板３０を前側から見た平面図である。
【００２０】
内周面３３は、軸方向一方側へ向かうにつれて曲率が小さくなる。内周面３３のほぼ全体は、複数の小領域３３０に分割される。複数の小領域３３０のそれぞれは、曲面上に突出するファセット６０を構成する。
【００２１】
ファセット６０は、例えば、周方向において、６°ごとに６０個設けられている。ファセット６０は、周方向に均等に配置される。このように、反射板３０の内周面３３は、中心軸９を中心とした回転対称である。これにより、反射板３０の内周面３３に入射された光が、周方向に均等に反射される。
【００２２】
図４は、内周面３３の一部を示した平面図である。図５および図６は、内周面３３の一部について、ファセット６０の厚みを模式的に示した平面図である。図５では、ファセット６０の厚みが大きい（突出している）ほど、白っぽく表示されている。また、図６では、ファセット６０の厚みの等しい位置を結んだ等高線が破線で示されている。
【００２３】
図４に示すように、各ファセット６０が配置される小領域３３０は、その縁部が、辺の数が６である多角形（六角形）が内周面３３に投影された形状である。すなわち、小領域３３０の縁部は、平面視で略六角形状である。このため、小領域３３０の縁部は、６つの角を有する。この６つの角を、前端開口３２からの距離が近い順、すなわち、前方から後方へ向かって順に、第１角７１、第２角７２、第３角７３、第４角７４、第５角７５および第６角７６と称する。
【００２４】
第１角７１は、他の全ての角７２〜７６よりも前端開口３２に近い。また、第６角７６は、他の全ての角７１〜７６よりも前端開口３２から遠い。なお、この反射板３０では、第２角７２の前端開口３２からの距離と、第３角７３の前端開口３２からの距離は等しい。また、第４角７４の前端開口３２からの距離と、第５角７５の前端開口３２からの距離は等しい。
【００２５】
小領域３３０は、中心領域６１と、中心領域６１の前方に配置された前方領域６２と、中心領域６１の後方に配置された後方領域６３とを含む。
【００２６】
中心領域６１は、第２角７２、第３角７３、第４角７４および第５角７５を４つの角とする略四角形状の領域である。第２角７２と第３角７３とを繋ぐ第１辺６１１は、中心領域６１の前端の辺である。第４角７４と第５角７５とを繋ぐ第２辺６１２は、中心領域６１の後端の辺である。
【００２７】
前方領域６２は、第１角７１、第２角７２および第３角７３を３つの角とする略三角形状の領域である。前方領域６２は、中心領域６１の第１辺６１１から第１角７１へと前方へ向かって収束する。
【００２８】
後方領域６３は、第４角７４、第５角７５および第６角７６を３つの角とする略三角形状の領域である。後方領域６３は、中心領域６１の第２辺６１２から第６角７６へと後方へ向かって収束する。
【００２９】
なお、小領域３３０の縁部を構成する各辺は、平面視を表す図面中において直線で表現されるものであっても、実際は曲線である。
【００３０】
図５および図６に示すように、ファセット６０は、その中央部に向かうにつれて、縁部よりも中心軸９側に突出する。このファセット６０のように、縁部に対して中央が突出するファセットでは、縁部が断面略Ｖ字状の溝となる。その結果、ファセット６０の縁部付近の領域（縁部反射面６０１）で反射した光は、予期せぬ方向へ向かう虞がある。特に、最も縁部が集まる角７１〜７６の近傍において、光が予期せぬ方向へ反射されやすい。
【００３１】
また、縁部反射面６０１のうち、各ファセットの最も前側に位置する縁部の周辺が、やや前方を向く領域（前方反射面６０２）で反射した光は、反射板３０の前端開口３２から前方かつ径方向外方へと出射されやすいため、特に問題となる。このため、前方反射面６０２の面積が小さいことが好ましい。
【００３２】
この反射板３０では、各ファセット６０の前側の縁部が、第１角７１に収束する形状である。このような形状のため、縁部反射面６０１のうち、前方反射面６０２となる領域は、第１角７１の周囲に位置する。このため、前方反射面６０２の大部分は、前方領域６２に位置する。
【００３３】
図７は、周方向および軸方向に等間隔に配置された、従来の略長方形状のファセット６０Ａを有する反射板３０Ａの内周面の一部を示した平面図である。図７の例では、ファセット６０Ａの前側においてやや前方を向く領域（前方反射面６０２Ａ）は、ファセット６０Ａの前方に配置される最前辺６９Ａの周囲に位置する。このように、ファセット６０Ａの前端部の形状が軸方向に略垂直な辺である場合、前方反射面６０２Ａは、図７に示すように、略長方形状となる。
【００３４】
図７に示す反射板３０Ａでは、１つのファセット６０Ａに含まれる前方反射面６０２Ａの面積の割合を小さくすることは困難である。第１実施形態に係る反射板３０では、ファセットの厚み（中心軸方向への突出量）及び大きさを反射板３０Ａに合わせた場合に、略三角形状である前方反射面６０２の面積を、反射板３０Ａにおける略四角形状である前方反射面６０２Ａの面積と比べて小さくすることが可能である。すなわち、反射板３０は、従来の反射板３０Ａと比べて、所望の制御配光反射角度よりも外側に向かう等の予期せぬ方向へ向かう光を低減することができる。
【００３５】
この反射板３０では、図４に示すように、ファセット６０の形が、略点対称となる、略平行六辺形である。なお、内周面３３が前方に向かうにつれて拡径しているため、正確には、ファセット６０は、点対称の図形に比べて前方が拡大した形状である。これにより、隣り合うファセット６０同士をほぼ同じ形状とすることができる。その結果、内周面３３全体として、ファセット６０による反射光を周方向および前後方向においてそれぞれ均一にできる。
【００３６】
また、この反射板３０では、特に、前方領域６２の面積と後方領域６３の面積との和は、中心領域６１の面積よりも小さい。このため、各ファセット６０について、前方領域６２の面積が占める割合が１／４以下と小さい。したがって、前方反射面６０２を小さくできる。これにより、予期せぬ方向へ向かう光をより低減できる。
【００３７】
また、この反射板３０では、特に、前方領域６２において第１角７１は鈍角である。これにより、前方領域６２の前後方向の長さが短い。したがって、前方領域６２の面積が大きくなり過ぎるのを抑制できる。したがって、前方反射面６０２が大きくなるのを抑制できる。これにより、予期せぬ方向へ向かう光をより低減できる。
【００３８】
この反射板３０は、図２に示すように、前後方向に連続して配置される複数の小領域３３０によって形成される小領域列３４０を複数有する。小領域列３４０はそれぞれ、前端部側に向かうにつれて周方向の一方側に傾斜する。各小領域列３４０に属する複数の小領域３３０は、仮想的な基準線８に沿って並ぶ。この反射板３０においては、小領域列３４０に属する複数の小領域３３０の重心を通る曲線を、基準線８と称する。図２〜図４中には、それぞれ、複数の基準線８のうちの１つのみを図示している。
【００３９】
図８は、反射板３０の内周面３３に配置される全ての基準線８の位置を示した図である。図８に示すように、基準線８は周方向に等間隔に配置される。これにより、図３に示すように、ファセット６０が周方向に均等に配置される。したがって、ファセット６０による反射光を周方向において均一にできる。基準線８の形状については、後述する。
【００４０】
ここで、図４に示すように、各小領域３３０において、第１角７１を端点とする２つの辺のうち、他方よりも長い辺を前側長辺７１０と称する。また、第６角７６を端点とする２つの辺のうち、他方よりも長い辺を後側長辺７６０と称する。各小領域３３０において、前側長辺７１０と、後側長辺７６０とはそれぞれ、基準線８に対して略垂直である。このように、小領域３３０の形状および配置の設定時において、前側および後側の縁部を構成する２辺のうちの長い方が、基準線８に対して略垂直であることにより、前側の縁部が第１角７１に向かって収束する略平行六辺形の小領域３３０を、基準線８に沿って整列して設定することが容易となる。
【００４１】
なお、この反射板３０では、第１角７１を端点とする２つの辺の長さが異なっていたが、第１角７１を端点とする２つの辺の長さが同じであってもよい。
【００４２】
＜１−３．基準線の形状＞
続いて、基準線８の形状について説明する。図８に示すように、基準線８は、前後方向に見てスパイラル状の曲線である。図３に示すように、この反射板３０では、各基準線８は、前後方向に見て、中心軸９を通る円周の一部である。小領域列３４０は、当該円周の一部である基準線８と重なる。
【００４３】
以下では、スパイラル状の基準線８の曲率半径について、シミュレーション結果を参照しつつ説明する。シミュレーションは、基準線の曲率半径が異なる第１モデルＭａ、第２モデルＭｂ、第３モデルＭｃ、および第４モデルＭｄについて行った。各シミュレーションモデルＭａ，Ｍｂ，Ｍｃ，Ｍｄの基準線は、前後方向に見て、中心軸を通る円周の一部である。
【００４４】
図９は、第１モデルＭａの反射板３０Ｍａの断面図および平面図である。図１０は、第２モデルＭｂの反射板３０Ｍｂの断面図および平面図である。図１１は、第３モデルＭｃの反射板３０Ｍｃの断面図および平面図である。図１２は、第４モデルＭｄの反射板３０Ｍｄの断面図および平面図である。
【００４５】
これらのシミュレーションモデルＭａ，Ｍｂ，Ｍｃ，Ｍｄはそれぞれ、第１実施形態の照明装置１の光源２０と同様の光源と、図９〜図１２に示す反射板３０Ｍａ，３０Ｍｂ，３０Ｍｃ，３０Ｍｄとのみを有する。すなわち、これらのシミュレーションモデルＭａ，Ｍｂ，Ｍｃ，Ｍｄはそれぞれ、照明装置１のカバー４０およびコーン５０に相当する部材は有していない。
【００４６】
各反射板３０Ｍａ，３０Ｍｂ，３０Ｍｃ，３０Ｍｄの内周面３３Ｍａ，３３Ｍｂ，３３Ｍｃ，３３Ｍｄの開口径、長さ、巨視的な曲率等の形状はそれぞれ、ファセット６０の凹凸形状を除き、反射板３０の内周面３３の形状と、同一形状である。
【００４７】
第１モデルＭａの反射板３０Ｍａの基準線の曲率半径は、内周面３３Ｍａの前端部の直径（反射板有効直径Ｒ）の０．２５倍である。第２モデルＭｂの反射板３０Ｍｂの基準線の曲率半径は、反射板有効直径Ｒの０．３８倍である。第３モデルＭｃの反射板３０Ｍｃの基準線の曲率半径は、反射板有効直径Ｒの０．４６倍である。第４モデルＭｄの反射板３０Ｍｄの基準線の曲率半径は、反射板有効直径Ｒの０．５３倍である。
【００４８】
図１３は、各シミュレーションモデルＭａ，Ｍｂ，Ｍｃ，Ｍｄにおける制御配光反射角度および評価を表した図である。これらのシミュレーションモデルＭａ，Ｍｂ，Ｍｃ，Ｍｄはそれぞれ、制御配光反射角度が９０°となるように設計されている。このため、制御配光反射角度が９０°を超えているのは、ファセットの前方反射面で反射した予期せぬ方向へ向かう光に起因する。
【００４９】
図１３に示すように、シミュレーションの結果、第１モデルＭａにおける制御配光反射角度は９４．３°であった。第２モデルＭｂにおける制御配光反射角度は９４．８°であった。第３モデルＭｃにおける制御配光反射角度は９５．７°であった。また、第４モデルＭｄにおける制御配光反射角度は９６．７°であった。
【００５０】
ファセットを設けることで、反射板の内周面がファセットを有さない滑らかな曲面である場合と比べて、色ムラや配光ムラを低減できる。これらの効果を重視し、各モデルの評価を以下のように行った。ファセットに起因して制御配光反射角度が５°程度まで大きくなることは想定内である。このため、制御配光反射角度が９０°よりも５°大きい９５°以内である場合、その評価を「良好」（図１３中では「○」と表示）とした。また、想定の最大制御配光反射角度である９５°を超えており、その超過角度が１°以内である９６°以内である場合、その評価を「良好ではないが許容範囲内」（図１３中では「三角」と表示）とした。そして、当該許容範囲よりも大きい９６°を超える制御配光反射角度である場合、その評価を「許容範囲外」（図１３中では「×」と表示）とした。
【００５１】
図１３に示すように、第１モデルＭａおよび第２モデルＭｂの評価は「良好」であり、第３モデルＭｃの評価は「良好ではないが許容範囲内」であり、第４モデルＭｄの評価は「許容範囲外」であった。
【００５２】
上記のシミュレーションの結果、基準線の曲率半径は、内周面の前端部の直径（反射板有効直径Ｒ）の１／２倍（０．５倍）以下であることが好ましいと言える。一方、基準線の曲率半径が反射板有効直径Ｒの１／４倍（０．２５倍）以下である場合、基準線の存在範囲が内周面の最も外側まで達しない。以上により、基準線の曲率半径は、反射板有効直径Ｒの１／４倍以上、かつ、１／２倍以下であることが好ましい。
【００５３】
＜２．変形例＞
以上、本発明の主たる実施形態について説明したが、本発明は、上記の実施形態に限定されるものではない。
【００５４】
図１４は、一変形例に係る反射板３０Ｂにおいて、内周面３３Ｂに配置される全ての基準線８Ｂの位置を示した図である。図１４の例では、基準線８Ｂは、前後方向に見て直線状の線である。この場合であっても、基準線８Ｂは、前端部側へ向かうにつれて周方向一方側に傾斜するため、上記の実施形態と同様に小領域列が基準線８Ｂに沿うことにより、上記の実施形態と同様の効果が得られる。
【００５５】
図１４の例のように、基準線は、前端部側へ向かうにつれて周方向一方側に傾斜するものであれば、前後方向に見て直線状であってもよいし、その他の曲線であってもよい。
【００５６】
図１５は、他の変形例に係る反射板の内周面３３Ｃの一部を示した平面図である。図１５の例では、ファセットが配置される小領域３３０Ｃは、略平行四辺形状である。
【００５７】
小領域３３０Ｃは、前後方向に対して垂直な第１辺６１１Ｃおよび第２辺６１２Ｃを縁部に含む中心領域６１Ｃと、中心領域６１Ｃの前方に配置された前方領域６２Ｃと、中心領域６１Ｃの後方に配置された後方領域６３Ｃとを含む。前方領域６２Ｃは、中心領域６１Ｃの第１辺６１１Ｃから第１角７１Ｃへと前方へ向かって収束する略三角形状の領域である。
【００５８】
図１５の例の反射板では、平行四辺形状の小領域３３０Ｃの縁部の角度を調節することによって、前方領域６２Ｃの形状を調節し、前方反射面６０２Ｃの面積の割合を小さくすることが可能である。すなわち、所望の制御配光反射角度よりも外側に向かう等の予期せぬ方向へ向かう光を低減することができる。
【００５９】
また、図１５の例の反射板では、小領域３３０Ｃが略点対称となる、略平行四辺形である。これにより、隣り合う小領域３３０Ｃ同士をほぼ同じ形状とすることができる。その結果、内周面３３Ｃ全体として、各小領域３３０Ｃに配置されるファセットによる反射光を周方向および前後方向においてそれぞれ均一にできる。
【００６０】
図１５の例のように、ファセットの形が、平面視で略四角形であってもよい。すなわち、本発明の反射板は、第１実施形態のようにファセットの形が平面視で略六角形である場合に限られない。また、上記の第１実施形態および図１５の例では、ファセットの形が、平面視で類似形状の略六角形または略四角形を並べたものであったが、本発明はこれに限られない。小領域の縁部は、辺の数が４以上の多角形が内周面に投影された形状であればよい。すなわち、前方反射面の面積の割合を小さくすることができれば、ファセットの形が、辺の数が４以上の略多角形を複数種類組み合わせたものであってもよい。その場合、辺の数が５、または７以上である略多角形が含まれてもよい。
【００６１】
また、上記の実施形態では、照明装置が天井に対して固定されたが、本発明はこれに限られない。本発明の照明装置は、壁等の天井以外の構造物に対して固定されてもよい。また、本発明の照明装置は、スタンド等の移動可能な部材に固定されるものであってもよい。
【００６２】
また、上記の実施形態では、光源であるＬＥＤ光源が反射板の後端部よりも後側に配置されているが、反射板で囲まれた空間の内部に配置してもよい。また、上記の実施形態では、反射板の後端部が開口しているが、反射板の後端部が閉じた形状であって、光源が反射板で囲まれた空間の内部に配置されてもよい。
【００６３】
また、上記の実施形態では、光源としてＬＥＤ光源を用いているが、本発明はこれに限られない。光源として白熱球や蛍光灯等の他の光源を用いてもよい。
【００６４】
また、上記の各実施形態や変形例に登場した各要素を、矛盾が生じない範囲で、任意に組み合わせてもよい。
【００６５】
＜３．発明の抽出＞
上記の実施形態および変形例から抽出される発明として、例えば、以下の発明を挙げることができる。
【００６６】
第１発明は、後端から前端開口へ向かうにつれて拡径するドーム状の反射板であって、内周面が複数の小領域に分割され、前記小領域それぞれは曲面状に突出するファセットを構成し、前記小領域の縁部は、辺の数が４以上の多角形が前記内周面に投影された形状であり、前記小領域の縁部の複数の角のうちの１つである第１角は、他の全ての前記角よりも前記前端開口に近い。
【００６７】
第２発明は、第１発明の反射板であって、前後方向に連続して配置される複数の前記小領域によって形成される小領域列を複数有し、前記小領域列に属する複数の前記小領域はそれぞれ、前記前端開口側へ向かうにつれて周方向一方側に傾斜する基準線に沿って並ぶ。
【００６８】
第３発明は、第２発明の反射板であって、前記基準線は、前後方向に見て、前記中心軸を通る円周の一部である。
【００６９】
第４発明は、第３発明の反射板であって、前記円周の半径は、前記内周面の前記前端部の直径の１／４倍以上、かつ、１／２倍以下である。
【００７０】
第５発明は、第２発明ないし第４発明のいずれかの反射板であって、前記第１角を端点とする２つの辺のうち、他方よりも長い前側長辺は、前記小領域列において全ての前記小領域の重心を通る曲線に対して略垂直である。
【００７１】
第６発明は、第１発明ないし第５発明のいずれかに記載の反射板であって、第１角は鈍角である。
【００７２】
第７発明は、第１発明ないし第６発明のいずれかの反射板と、前記反射板の前記後端側に配置された光源と、を有する、照明装置である。
【００７３】
第１発明〜第７発明によれば、前方領域の形状を調節することによって、ファセットの前側においてやや前方を向く前方反射面の面積の割合を小さくすることが可能である。したがって、所望の制御配光反射角度よりも外側に向かう等の予期せぬ方向へ向かう光を低減できる。
【００７４】
特に、第６発明によれば、前方領域の面積が大きくなり過ぎるのを抑制できる。したがって、前方反射面が大きくなるのを抑制できる。
【符号の説明】
【００７５】
１，１Ａ  照明装置
８，８Ｂ  基準線
９  中心軸
２０  光源
３０，３０Ａ，３０Ｂ，３０Ｍａ３０Ｍｂ，３０Ｍｃ，３０Ｍｄ，３０Ｐ  反射板
３３，３３Ｂ，３３Ｃ，３３Ｍａ，３３Ｍｂ，３３Ｍｃ，３３Ｍｄ  内周面
６０，６０Ａ，６０Ｐ  ファセット
６１，６１Ｃ  中心領域
６２，６２Ｃ  前方領域
６３，６３Ｃ  後方領域
７１，７１Ｃ  第１角
３３０，３３０Ｃ  小領域
３４０  小領域列
６０２，６０２Ａ，６０２Ｃ  前方反射面
６１１，６１１Ｃ  第１辺
６１２，６１２Ｃ  第２辺
７１０  前側長辺
【図１】
2020067543.tif 000003
【図２】
2020067543.tif 000004
【図３】
2020067543.tif 000005
【図４】
2020067543.tif 000006
【図５】
2020067543.tif 000007
【図６】
2020067543.tif 000008
【図７】
2020067543.tif 000009
【図８】
2020067543.tif 000010
【図９】
2020067543.tif 000011
【図１０】
2020067543.tif 000012
【図１１】
2020067543.tif 000013
【図１２】
2020067543.tif 000014
【図１３】
2020067543.tif 000015
【図１４】
2020067543.tif 000016
【図１５】
2020067543.tif 000017
【図１６】
2020067543.tif 000018